(57)【特許請求の範囲】
【請求項１】
長手方向に沿う両側壁の上端から外側方に夫々突成された一対の係合縁を備えてなる支持レールに、電気機器を保持する保持筐体の下底面に形成されて、両側縁に対向する係止爪を備えたレール嵌挿溝を嵌着することにより、前記保持筐体を支持レールに着脱可能に取付ける電気機器の支持レール用取付け装置において、
圧接片部を備えた板バネからなり、該圧接片部がレール嵌挿溝内に突出する状態で前記レール嵌挿溝の一側縁に配設された横ずれ防止部材と、
レール嵌挿溝の幅方向に沿って進退可能に配設されて、一端に前記圧接片部をレール嵌挿溝の他側縁側から押圧可能な押圧端が設けられ、かつ他端に前記レール嵌挿溝の他側縁側で保持筐体の外側面部分に位置する操作部が設けられた摺動子と
を備えてなり、
圧接片部がその弾性を介して支持レールの一方の係合縁に圧接して該支持レールに対する保持筐体の移動を規制するロック状態と、操作部に対する押圧操作により、圧接片部が摺動子の押圧端に押圧されて支持レールの係合縁から離れるロック解除状態とに変換されるように設けられていることを特徴とする電気機器の支持レール用取付け装置。
【請求項２】
横ずれ防止部材の圧接片部に、支持レールの係合縁が喰い込む略Ｖ字形の切込み溝が形成されていることを特徴とする請求項１に記載した電気機器の支持レール用取付け装置。
【請求項３】
レール嵌挿溝の一側縁に沿って延在する板バネの両端部に一対の圧接片部が設けられ、両圧接片部が対称をなす状態でレール嵌挿溝内に斜めに突出されていることを特徴とする請求項１又は請求項２に記載した電気機器の支持レール用取付け装置。
【請求項４】
横ずれ防止部材に対向するレール嵌挿溝の他側縁に配設される係止爪が、摺動子に一体形成されていることを特徴とする請求項１乃至請求項３の何れか１項に記載した電気機器の支持レール用取付け装置。
【請求項５】
操作部の外側面と、該操作部に対向する保持筐体の側壁部の外側面とに無数の凹凸からなる滑り止め部が設けられていることを特徴とする請求項１乃至請求項４の何れか１項に記載した電気機器の支持レール用取付け装置。
【発明の詳細な説明】
【技術分野】
【０００１】
本発明は、電気機器を支持レール上に着脱可能に取付けるために用いられる電気機器の支持レール用取付け装置に関する。
【背景技術】
【０００２】
制御盤に配設される入出力コネクタや端子台等の電気機器を、制御盤に固定されたＤＩＮレール等からなる支持レールに着脱可能に取付けるための支持レール用取付け装置が知られている（例えば、特許文献１参照。）。
【０００３】
この種の取付け装置は、電気機器を保持する保持筐体の下底面に左右方向に開放されたレール嵌挿溝が形成され、該レール嵌挿溝の両側縁に複数の係止爪が対向状に設けられており、支持レールの長手方向に沿う両側壁の上端から外側方に夫々突成された一対の係合縁に、前記レール嵌挿溝を嵌合し、かつ該レール嵌挿溝の両側縁で対向する係止爪を前記支持レールの両係合縁に夫々係合させることによって、保持筐体を支持レールに着脱可能に取付け得るようになっている。
【０００４】
この取付け状態にあって、保持筐体は、レール嵌挿溝の両側縁の係止爪と支持レールの両係合縁との係合によって支持レール上に離脱不能に保持されるが、支持レールの長手方向へはスライド移動可能となっている。このため、図１２に示すように、別部品として形成された固定金具ｂ，ｂを保持筐体ａの左右両端に当接させた状態で、該固定金具ｂ，ｂを支持レールｃに固定することによって、保持筐体ａのスライド移動を規制するようにしている（例えば、特許文献２参照。）。
【０００５】
この固定金具ｂは、図１３に示すように、断面略伏コ字形の外筐片ｄと、該外筐片ｄの内部に上下動可能に配設されて、下部両側に外筐片ｄの下方に突出する一対の係止脚部ｆ，ｆが設けられた内筐片ｅと、該内筐片ｅに組み付けられた角ナットｇと、外筐片ｄの上部から挿通されて角ナットｇに螺合され、その螺回操作を介して内筐片ｅを昇降させる操作ネジｈとを備えている。また、一対の係止脚部ｆ，ｆには、下端に相互に対向する係止突部ｊ，ｊが内方突成されており、該係止突部ｊ，ｊの上部には支持レールｃの係合縁ｋ，ｋを挿通可能な一対の挿通溝部ｍ，ｍが設けられている。
【０００６】
上記固定金具ｂは、支持レールｃの両係合縁ｋ，ｋを内筐片ｅの挿通溝部ｍ，ｍに挿通させた状態で、操作ネジｈを緊締方向に螺回することにより、内筐片ｅを上昇させて、両係止突部ｊ，ｊと外筐片ｄの下端面とで支持レールｃの係合縁ｋ，ｋを挟持させることによって支持レールｃに固定するようになっている。
【先行技術文献】
【特許文献】
【０００７】
【特許文献１】特開平７−２５４４４７号公報
【特許文献２】特開２００９−２２４１０４号公報
【発明の概要】
【発明が解決しようとする課題】
【０００８】
従来構成の支持レール用取付け装置にあっては、保持筐体ａの支持レールｃ上でのスライド移動を規制するために、別部品として形成された２個の固定金具ｂ，ｂが必要であるため部品点数が多いという問題点があり、また、該固定金具ｂ，ｂの固定に際して夫々の操作ネジｈを螺回して緊締しなければならない上、保持筐体ａを支持レールｃに取付けた後に位置を変える必要が生じた場合には、各固定金具ｂ，ｂの操作ネジｈ，ｈを夫々緩めて保持筐体ａ及び固定金具ｂ，ｂを移動させ、再度各操作ネジｈ，ｈの緊締螺回操作を行わなければならないため、保持筐体ａの固定及び移動に手間と時間が掛かり、作業効率が悪いという問題点があった。
【０００９】
本発明は、かかる従来の問題点を解消するためになされたものであり、支持レールに対する保持筐体の移動規制を固定金具を用いることなく極めて容易に行うことができるとともに、取付け後の位置移動が簡単にできる電気機器の支持レール用取付け装置を提供することを目的とするものである。
【課題を解決するための手段】
【００１０】
本発明は、長手方向に沿う両側壁の上端から外側方に夫々突成された一対の係合縁を備えてなる支持レールに、電気機器を保持する保持筐体の下底面に形成されて、両側縁に対向する係止爪を備えたレール嵌挿溝を嵌着することにより、前記保持筐体を支持レールに着脱可能に取付ける電気機器の支持レール用取付け装置において、圧接片部を備えた板バネからなり、該圧接片部がレール嵌挿溝内に突出する状態で前記レール嵌挿溝の一側縁に配設された横ずれ防止部材と、レール嵌挿溝の幅方向に沿って進退可能に配設されて、一端に前記圧接片部をレール嵌挿溝の他側縁側から押圧可能な押圧端が設けられ、かつ他端に前記レール嵌挿溝の他側縁側で保持筐体の外側面部分に位置する操作部が設けられた摺動子とを備えてなり、圧接片部がその弾性を介して支持レールの一方の係合縁に圧接して該支持レールに対する保持筐体の移動を規制するロック状態と、操作部に対する押圧操作により、圧接片部が摺動子の押圧端に押圧されて支持レールの係合縁から離れるロック解除状態とに変換されるように設けられていることを特徴とする電気機器の支持レール用取付け装置である。
【００１１】
上記電気機器の支持レール用取付け装置にあって、横ずれ防止部材の圧接片部に、支持レールの係合縁が喰い込む略Ｖ字形の切込み溝が形成されている構成が提案される。
【００１２】
また、レール嵌挿溝の一側縁に沿って延在する板バネの両端部に一対の圧接片部が設けられ、両圧接片部が対称をなす状態でレール嵌挿溝内に斜めに突出されている構成が提案される。
【００１３】
また、横ずれ防止部材に対向するレール嵌挿溝の他側縁に配設される係止爪が、摺動子に一体形成されている構成が提案される。
【００１４】
さらに、操作部の外側面と、該操作部に対向する保持筐体の側壁部の外側面とに無数の凹凸からなる滑り止め部が設けられている構成が提案される。
【発明の効果】
【００１５】
本発明は、上述したように、長手方向に沿う両側壁の上端から外側方に夫々突成された一対の係合縁を備えてなる支持レールに、電気機器を保持する保持筐体の下底面に形成されて、両側縁に対向する係止爪を備えたレール嵌挿溝を嵌着することにより、前記保持筐体を支持レールに着脱可能に取付ける電気機器の支持レール用取付け装置にあって、圧接片部を備えた板バネからなる横ずれ防止部材がレール嵌挿溝内に突出する状態で該レール嵌挿溝の一側縁に配設されるとともに、一端に前記圧接片部をレール嵌挿溝の他側縁側から押圧可能な押圧端が設けられ、かつ他端に前記レール嵌挿溝の他側縁側で保持筐体の外側面部分に位置する操作部が設けられた摺動子が、レール嵌挿溝の幅方向に沿って進退可能に配設されており、横ずれ防止部材の圧接片部がその弾性を介して支持レールの一方の係合縁に圧接して該支持レールに対する保持筐体の移動を規制するロック状態と、操作部に対する押圧操作により、前記圧接片部が摺動子の押圧端に押圧されて支持レールの係合縁から離れるロック解除状態とに変換されるように設けられているので、保持筐体のレール嵌挿溝を支持レールの両係合縁に嵌合し、かつ該レール嵌挿溝の両側縁で対向する係止爪を支持レールの両係合縁に夫々係合させて、保持筐体を支持レールに取付けると、レール嵌挿溝内に突出している横ずれ防止部材の圧接片部がその弾性を介して支持レールの一方の係合縁に圧接するロック状態となり、支持レールに対する保持筐体の取付けと同時に保持筐体の移動を規制することができる。これにより、支持レールに対する保持筐体の移動規制を従来のような固定金具を用いることなく極めて容易に行うことができる。
【００１６】
また、このような保持筐体の取付け状態にあって、該保持筐体の取付け位置を変える必要が生じた場合には、操作部を指で押圧操作すると、横ずれ防止部材の圧接片部が摺動子の押圧端に押圧されて支持レールの係合縁から離れるロック解除状態となることにより、このロック解除状態を維持したままで保持筐体を支持レールに沿ってスライド移動させることができ、所望の位置で操作部に対する押圧操作を止めると、再度圧接片部がその弾性を介して支持レールの係合縁に圧接するロック状態となる。これにより、取付け後の位置移動を簡単に行うことができる。
【００１７】
上記電気機器の支持レール用取付け装置にあって、横ずれ防止部材の圧接片部に、支持レールの係合縁が喰い込む略Ｖ字形の切込み溝が形成されている構成にあっては、圧接片部がロック状態にあるときに、該切込み溝の奥端部に支持レールの係合縁が喰い込む状態となるため、保持筐体の移動規制をより強固に行うことができる。
【００１８】
また、レール嵌挿溝の一側縁に沿って延在する板バネの両端部に前記切込み溝を備えた一対の圧接片部が設けられ、両圧接片部が対称をなす状態でレール嵌挿溝内に斜めに突出されている構成にあっては、保持筐体に支持レール上を移動させようとする力が左右何れの方向へ加えられても、何れか一方の圧接片部の切込み溝の奥端部に支持レールの係合縁が喰い込む状態となるため、保持筐体の移動規制をより確実に行わせることができる。
【００１９】
また、横ずれ防止部材に対向するレール嵌挿溝の他側縁に配設される係止爪が、摺動子に一体形成されている構成にあっては、係止爪を別途設ける必要がないため、構造を簡略化することができる。
【００２０】
さらに、操作部の外側面と、該操作部に対向する保持筐体の側壁部の外側面とに無数の凹凸からなる滑り止め部が設けられている構成にあっては、操作部の外側面と側壁部の外側面とを指で挟持してロック解除状態とし、保持筐体を位置移動させる際に、両滑り止め部によって指の滑り止め作用が得られるため、保持筐体の位置移動時における操作性に優れたものとなる。
【図面の簡単な説明】
【００２１】
【図１】本発明にかかる支持レール用取付け装置１の保持筐体２を支持レール７に取付けた状態を示し、（Ａ）はその平面図、（Ｂ）はその外観斜視図である。
【図２】保持筐体２の上部に電気機器を保持した状態の縦断側面図である。
【図３】保持筐体２の底面図である。
【図４】保持筐体２の上下を反転して示した正面側の斜視図である。
【図５】保持筐体２の上下を反転して示した背面側の斜視図である。
【図６】横ずれ防止部材２１と摺動子２４を分離して示す保持筐体２の上下反転斜視図である。
【図７】圧接片部２２，２２の切込み溝２３，２３に支持レール７の係合縁９ａが喰い込む状態を示す説明図である。
【図８】支持レール７に対する保持筐体２の取付け操作を示す説明図である。
【図９】圧接片部２２，２２のロック状態を示す支持レール７と保持筐体２の底面図である。
【図１０】圧接片部２２，２２のロック解除状態を示す支持レール７と保持筐体２の底面図である。
【図１１】変形実施例にかかる種々の横ずれ防止部材２１の斜視図である。
【図１２】従来構成を示す平面図である。
【図１３】従来の固定金具ｂの分解斜視図である。
【発明を実施するための形態】
【００２２】
以下に、本発明にかかる電気機器の支持レール用取付け装置の一実施例を、図１〜図１０に基づいて説明する。
【００２３】
支持レール用取付け装置１は、図１に示すように、電気機器を保持する矩形状に形成された保持筐体２を備えている。ここで、電気機器は、複数のピン端子４を備えた入出力コネクタ３と、前後二列で並設された端子台５，５とからなり、図２に示すように、これらがプリント基板６上に組み付けられ、所要のプリント配線（図示省略）によって結線されている。そして、このプリント基板６を保持筐体２の上部に着脱可能に嵌着することによって電気機器が保持筐体２に保持されている。尚、保持筐体２に保持される電気機器としては入出力コネクタ３や端子台５，５以外のものであってもよい。
【００２４】
一方、電気機器を保持する保持筐体２を取付けるための支持レール７は、図１（Ｂ），図２に示すように、断面略コ字形に形成され、長手方向に沿う両側壁８，８の上端から外側方に夫々突成された一対の係合縁９ａ，９ｂを備えている。該支持レール７は、底板部１０に形成された複数の長孔１１に挿通されるビス（図示省略）によって制御盤に固定される。
【００２５】
保持筐体２の下底面１２には、図３，図４に示すように、左右方向に開放されたレール嵌挿溝１３が形成されている。該レール嵌挿溝１３の一側縁１４ａの両端部には、保持筐体２の下底面１２に上下方向で対向し、前記支持レール７の一方の係合縁９ａが挿通可能な挿通間隙１５を生ずる一対の固定係止爪１６，１６が設けられている。また、レール嵌挿溝１３の他側縁１４ｂの中央部には、図３，図５に示すように、前記固定係止爪１６，１６に幅方向で対向し、かつ保持筐体２の下底面１２に上下方向で対向して前記支持レール７の他方の係合縁９ｂが挿通可能な挿通間隙１７（図８参照）を生ずる一対の可動係止爪１８，１８が配設されている。ここで、該可動係止爪１８，１８は後述する摺動子２４に一体形成されており、各可動係止爪１８，１８の下面にはレール嵌挿溝１３の内部上方に向けて傾斜する案内傾斜面１９，１９が形成されている。
【００２６】
保持筐体２の下底面１２の中央部には、図６に示すように、レール嵌挿溝１３より上部に位置させて収納溝２０が該レール嵌挿溝１３の幅方向に沿って形成されている。該収納溝２０内には、図３，図４に示すように、レール嵌挿溝１３の一側縁１４ａ側に位置させて横ずれ防止部材２１が配設されている。該横ずれ防止部材２１は、圧接片部２２，２２を備えた板バネからなり、レール嵌挿溝１３の一側縁１４ａに沿って延在する板バネの両端部を折り返して一対の圧接片部２２，２２が設けられ、該圧接片部２２，２２が対称をなす状態でレール嵌挿溝１３内に斜めに突出されている。また、両圧接片部２２，２２には、図７に示すように、支持レール７の一方の係合縁９ａを喰い込ませることが可能な略Ｖ字形の切込み溝２３が夫々形成されている。両切込み溝２３，２３は、上述した固定係止爪１６，１６の挿通間隙１５，１５と略同一高さ位置に設けられており、固定係止爪１６，１６に支持レール７の一方の係合縁９ａが係合されると、両切込み溝２３，２３内に該係合縁９ａが挿入されるようになっている。
【００２７】
また、前記収納溝２０内には、矩形状の摺動子２４がレール嵌挿溝１３の幅方向に沿って進退可能に配設されている。該摺動子２４の一端には、前記圧接片部２２，２２をレール嵌挿溝１３の他側縁１４ｂ側から押圧可能な押圧端２６，２６が設けられる一方、摺動子２４の他端には、前記レール嵌挿溝１３の他側縁１４ｂ側で保持筐体２の外側面２ａ部分に位置する操作部２７が設けられている。
【００２８】
摺動子２４には、その左右両側に薄肉状係合段縁２８，２８（図６参照）がレール嵌挿溝１３の幅方向に沿って形成されており、該薄肉状係合段縁２８，２８が収納溝２０の開口縁から突成された複数の支承片部２９に支持されている。これにより、摺動子２４が下方向へ脱落しないようになっている。
【００２９】
また、収納溝２０の天壁面２０ａには二つの係止段部３０ａ，３０ｂ（図６参照）が下方突成されており、該係止段部３０ａ，３０ｂの相対向する係止面３１ａ，３１ｂに、摺動子２４に設けられたアーム状ストッパー片部３２ａ，３２ｂが夫々係合されている（図３参照）。ここで、摺動子２４は、若干の弾性変形が可能な合成樹脂を用いて形成されており、摺動子２４が進退操作されて前記アーム状ストッパー片部３２ａ，３２ｂの何れかが弾性変形すると、その弾性復帰力によって摺動子２４が移動前の常態位置に戻されるようになっている。
【００３０】
さらに、摺動子２４の操作部２７の外側面は円弧状に窪んでおり、この外側面には、図４に示すように、無数の凹凸からなる滑り止め部３３が設けられている。また、該操作部２７に対向する保持筐体２の側壁部２ｃの外側面２ｂにも、図５に示すように、無数の凹凸からなる滑り止め部３４が設けられている。
【００３１】
かかる構成にあって、電気機器を保持した保持筐体２を支持レール７に取付けるには、図８に示すように、支持レール７の一方の係合縁９ａにレール嵌挿溝１３の固定係止爪１６，１６を係合させると、これと同時に横ずれ防止部材２１の圧接片部２２，２２の切込み溝２３，２３内に該係合縁９ａが挿入される状態となる。そして、この状態で保持筐体２を下方に回動させると、支持レール７の他方の係合縁９ｂの先端に可動係止爪１８，１８の案内傾斜面１９，１９が当接し、この状態で保持筐体２を下方に加圧すると、該案内傾斜面１９，１９の案内作用を介して可動係止爪１８，１８が外方へ移動してレール嵌挿溝１３内に支持レール７の係合縁９ｂが嵌挿される。この時、可動係止爪１８，１８が摺動子２４に一体形成されていることにより、可動係止爪１８，１８とともに摺動子２４が外方へ移動すると、該摺動子２４のアーム状ストッパー片部３２ｂが収納溝２０の係止段部３０ｂとの係合によって弾性変形して弾発力を蓄える状態となり、可動係止爪１８，１８が支持レール７の係合縁９ｂを通過すると、該アーム状ストッパー片部３２ｂの弾発力によって摺動子２４が内方に引き戻されて可動係止爪１８，１８が支持レール７の係合縁９ｂの下面に係合されることにより、保持筐体２の取付け状態が得られる。
【００３２】
そして、上記のような保持筐体２の取付け状態にあっては、図９に示すように、圧接片部２２，２２の切込み溝２３，２３に挿入された支持レール７の係合縁９ａによって、該圧接片部２２，２２がレール嵌挿溝１３の一側縁１４ａ側に押圧されて弾発力を生じ、該弾発力によって支持レール７の係合縁９ａに圧接片部２２，２２が圧接するロック状態となる。これによって、支持レール７に対する保持筐体２の取付けと同時に該保持筐体２の移動を規制することができ、支持レール７に対する保持筐体２の移動規制を従来のような固定金具を用いることなく極めて容易に行うことができる。
【００３３】
また、圧接片部２２，２２に略Ｖ字形の切込み溝２３（図７参照）が夫々形成されていることにより、上記のように、圧接片部２２，２２がロック状態にあるときに、該圧接片部２２，２２の切込み溝２３，２３の奥端部に支持レール７の係合縁９ａが喰い込む状態となるので、保持筐体２の移動規制を強固に行うことができる。
【００３４】
さらに、一対の圧接片部２２，２２が対称をなす状態でレール嵌挿溝１３内に斜めに突出されていることにより、保持筐体２に支持レール７上を移動させようとする力が左右何れの方向へ加えられても、何れか一方の圧接片部２２の切込み溝２３の奥端部に支持レール７の係合縁９ａがさらに喰い込む状態となるため、保持筐体２の移動規制をより確実に行わせることができる。
【００３５】
一方、上記の保持筐体２の取付け状態にあって、該保持筐体２の取付け位置を変える必要が生じた場合には、摺動子２４の操作部２７を指で押圧操作すると、図１０に示すように、横ずれ防止部材２１の圧接片部２２，２２が摺動子２４の押圧端２６，２６に押圧されて、該圧接片部２２，２２が支持レール７の係合縁９ａから離れるロック解除状態となる。そして、このロック解除状態を維持したままで保持筐体２を支持レール７に沿ってスライド移動させることができ、所望の位置で操作部２７に対する押圧操作を止めると、再度圧接片部２２，２２がその弾性を介して支持レール７の係合縁９ａに圧接するロック状態となる。これにより、取付け後の位置移動を簡単に行うことができる。
【００３６】
また、操作部２７の外側面と、該操作部２７に対向する保持筐体２の側壁部２ｃの外側面２ｂとに無数の凹凸からなる滑り止め部３３，３４が設けられていることにより、上記のような保持筐体２のスライド移動に際して、操作部２７の外側面と側壁部２ｃの外側面２ｂとを指で挟持すると、両滑り止め部３３，３４によって指の滑り止め作用が得られるため、保持筐体２の位置移動時に優れた操作性を得ることができる。
【００３７】
尚、上述した実施例にあっては、板バネの両端部に一対の圧接片部２２，２２を対称状に設けているが、これに代えて、図１１（Ａ）に示す変形実施例のように、レール嵌挿溝１３内に突出する単一の圧接片部２２を設け、該圧接片部２２に略Ｖ字形の切込み溝２３を形成してもよい。また、図１１（Ｂ）に示す変形実施例のように、圧接片部２２，２２に切込み溝２３，２３（図７参照）を形成することなく、圧接片部２２，２２の弾発力のみで圧接片部２２，２２を支持レール７の係合縁９ａに圧接させて保持筐体２の位置保持を行わせることも可能である。この場合には、切込み溝２３，２３（図７参照）を備えたものに比して位置保持力が若干低下するものの、実用に耐え得る充分な移動規制を行わせることができる。
【符号の説明】
【００３８】
１  支持レール用取付け装置
２  保持筐体
２ｂ  外側面
２ｃ  側壁部
３  入出力コネクタ（電気機器）
５  端子台（電気機器）
７  支持レール
８  側壁
９ａ，９ｂ  係合縁
１３  レール嵌挿溝
１４ａ  一側縁
１４ｂ  他側縁
１６  固定係止爪（係止爪）
１８  可動係止爪（係止爪）
２１  横ずれ防止部材
２２  圧接片部
２３  切込み溝
２４  摺動子
２６  押圧端
２７  操作部
３３，３４  滑り止め部
【図１】
0005530866.tif 000002
【図２】
0005530866.tif 000003
【図３】
0005530866.tif 000004
【図４】
0005530866.tif 000005
【図５】
0005530866.tif 000006
【図６】
0005530866.tif 000007
【図７】
0005530866.tif 000008
【図８】
0005530866.tif 000009
【図９】
0005530866.tif 000010
【図１０】
0005530866.tif 000011
【図１１】
0005530866.tif 000012
【図１２】
0005530866.tif 000013
【図１３】
0005530866.tif 000014